(57)【要約】【課題】建物躯体に取付けられる建築用化粧材の端部を覆う小口フタの位置決めが容易であり、かつ、デザインが相違している建築用化粧材に対し、汎用性が高い小口フタの構造を提供する。【解決手段】建築用化粧材の小口フタの位置決め構造１０は、建築用化粧材３０を建物躯体または下地材５０に垂直または水平に配置し、建築用化粧材３０の端部に取付ける小口フタ２０と、を備える。小口フタ２０は、建築用化粧材３０の端部に当接する突起２２ａおよび建築用化粧材３０のビスホール３３に位置する貫通孔２３が少なくとも１以上設けられている。【選択図】図１
2019178594.tif 000002
【特許請求の範囲】
【請求項１】
建築用化粧材を建物躯体または下地材に垂直または水平に配置し、前記建築用化粧材の端部に取付ける小口フタと、
を備え、
前記小口フタは、前記建築用化粧材の端部に当接する突起および前記建築用化粧材のビスホールに位置する貫通孔が少なくとも１以上設けられていることを特徴とする、建築用化粧材の小口フタの位置決め構造。
【請求項２】
前記突起は、ポンチ加工により形成され、任意の位置に前記突起の加工が施せることを特徴とする、請求項１に記載の建築用化粧材の小口フタの位置決め構造。
【請求項３】
前記突起は、前記建築用化粧材の任意の入隅部に当接することを特徴とする、請求項１または２記載の建築用化粧材の小口フタの位置決め構造。
【請求項４】
前記建築用化粧材を前記下地材に固定するための係合片は、前記突起を当接する前記入隅部と同一であることを特徴とする、請求項１〜３のいずれか１項に記載の建築用化粧材の小口フタの位置決め構造。
【発明の詳細な説明】
【技術分野】
【０００１】
本発明は、外壁や内壁、天井等に取付けられる建築用化粧材の端部を覆う小口フタの位置決め構造に関するものである。
【背景技術】
【０００２】
従来、建物躯体に室内の採光、通風、雨よけ、防水、目隠しや遮光性、遮蔽性、デザイン性等を高めるために小口を塞がれた化粧材を取付けることが行われている。例えば、特許文献１には、建物外壁等に取付けられる管体の端部開口を塞ぐ管体用端末キャップの裏面には、管体の四隅に設けられたビスホールに対応したビスホールに挿入される位置決め用の二個の突起とビスホールにタッピングビスを螺入するための螺子用の二個の孔が、それぞれ対角位置に対称に設けられている小口フタが開示されている。
【先行技術文献】
【特許文献】
【０００３】
【特許文献１】特許第４７５４３６８号公報
【発明の概要】
【発明が解決しようとする課題】
【０００４】
しかし、上記したような管体用端末キャップでは、予め位置が決まっている二個の突起を設けた管体用端末キャップを製作しなければならず、デザインが相違している管体ごとに管体用端末キャップを揃えなければならないため、部品数が増え、コストが嵩む等の問題があった。
【０００５】
そこで、本発明は、建物躯体に取付けられる建築用化粧材の端部を覆う小口フタの位置決めが容易であり、かつ、デザインが相違している建築用化粧材に対し、汎用性が高い小口フタの構造を提供することを課題とする。
【課題を解決するための手段】
【０００６】
本発明は、上記した課題を解決するためになされたものであり、以下を特徴とする。
請求項１に記載の発明は、建築用化粧材を建物躯体または下地材に垂直または水平に配置し、前記建築用化粧材の端部に取付ける小口フタと、を備え、前記小口フタは、前記建築用化粧材の端部に当接する突起および前記建築用化粧材のビスホールに位置する貫通孔が少なくとも１以上設けられていることを特徴とする。
【０００７】
請求項２に記載の発明は、請求項１に記載の発明の特徴点に加え、前記突起は、ポンチ加工により形成され、任意の位置に前記突起の加工が施せることを特徴とする。
【０００８】
請求項３に記載の発明は、請求項１または２記載の発明の特徴点に加え、前記突起は、前記建築用化粧材の任意の入隅部に当接することを特徴とする。
【０００９】
請求項４に記載の発明は、請求項１〜３のいずれかに記載の発明の特徴点に加え、前記建築用化粧材を前記下地材に固定するための係合片は、前記突起を当接する前記入隅部と同一であることを特徴とする。
【発明の効果】
【００１０】
請求項１に記載の発明は上記の通りであり、建築用化粧材を建物躯体または下地材に垂直または水平に配置し、建築用化粧材の端部に取付ける小口フタと、を備え、小口フタは、建築用化粧材の端部に当接する突起および建築用化粧材のビスホールに位置する貫通孔が少なくとも１以上設けられているため、突起により小口フタと建築用化粧材との位置決めが容易にできることで貫通孔およびビスホールの位置合わせもスムーズに行え、作業性が良い。また、小口フタを取付ける際、突起が建築用化粧材の端部に当接しているため、小口フタがネジを捩じ込む方向へ回転することを防止でき、小口フタと建築用化粧材の端部との重ね合わせが確実に行え、作業性が良い。また、突起のみで位置決めができるため、材料の重量が少なくコストが抑えられる。
【００１１】
請求項２に記載の発明は上記の通りであり、突起は、ポンチ加工により形成され、任意の位置に突起の加工が施せるため、小口フタの任意の位置に突起を形成することで建築用化粧材のデザインを問わず、同じ小口フタで対応ができ、利便性があり、かつ、複数の小口フタを製作しないことにより、コストが抑えられる。さらに、前述の突起により、ネジを捩じ込む方向へ回転させないための突片等がなくても小口フタが固定できるため、材料の重量が建築用化粧材の端部を覆う分だけですみ、コストが抑えられる。
【００１２】
請求項３に記載の発明は上記の通りであり、突起は、建築用化粧材の任意の入隅部に当接するため、建築用化粧材のデザインを問わず、任意の入隅部を選択して当接できるので、汎用性が高い。
【００１３】
請求項４に記載の発明は上記の通りであり、建築用化粧材を下地材に固定するための係合片は、突起を当接する入隅部と同一であるため、下地材の固定と小口フタの固定を兼ね備えるので、利便性がある。
【図面の簡単な説明】
【００１４】
【図１】建築用化粧材の小口フタの位置決め構造を示す分解斜視図である。
【図２】建築用化粧材に小口フタを取付けた状態を示す（ａ）側面図、（ｂ）図２（ａ）のＡ−Ａ線断面図である。
【図３】小口フタに係る（ａ）裏面（建築用化粧材の端部側）の斜視図、（ｂ）表面（化粧面側）の斜視図、（ｃ）図３（ａ）のＡ−Ａ線断面図である。
【図４】建築用化粧材の取付構造を示す図である（一方の端部に小口フタを取付けた状態）。
【図５】建築用化粧材の変形例１の一方の端部に小口フタを取付けた状態を示す（ａ）縦長の建築用化粧材の図、（ｂ）横長の建築用化粧材の図である。
【図６】建築用化粧材の変形例２の一方の端部に小口フタを取付けた状態を示す（ａ）縦長の建築用化粧材の図、（ｂ）横長の建築用化粧材の図である。
【発明を実施するための形態】
【００１５】
本発明の実施形態について、図を参照しつつ説明する。
【００１６】
本実施形態に係る建築用化粧材の小口フタの位置決め構造１０は、図１、図４に示すように、建築用化粧材３０を建物躯体（図示なし）または下地材５０に垂直または水平に配置し、建築用化粧材３０の端部に取付ける小口フタ２０を備えたものである。この小口フタ２０は、建築用化粧材３０の端部に当接する突起２２ａおよび建築用化粧材３０のビスホール３３に位置する貫通孔２３が設けられている。
【００１７】
小口フタ２０は、図１、図２（ａ）、図２（ｂ）に示すように、後述の建築用化粧材３０の端部を覆うものである。本実施形態に係る小口フタ２０は、図１に示すように、建築用化粧材３０の断面と同じ形状のフタ部２１と、図３（ａ）に示すように、フタ部２１の裏面（建築用化粧材３０の端部側）の任意の位置に設けられた１以上の突起２２ａと、図３（ｂ）に示すように、突起２２ａに対向した小口フタ２０の表面（化粧面側）にポンチ穴２２ｂが形成され、建築用化粧材３０のビスホール３３に位置するための貫通孔２３がフタ部２１を貫通して１以上設けられている。この突起２２ａにより、小口フタ２０と建築用化粧材３０との位置決めが容易にできることで貫通孔２３およびビスホール３３の位置合わせもスムーズに行え、取付け時に小口フタ２０がネジ４０を捩じ込む方向へ回転することを防止して小口フタ２０が所定の位置に固定できる構成になっている。
【００１８】
フタ部２１は、図２（ａ）、図３（ａ）、図３（ｂ）に示すように、断面が建築用化粧材３０と同じ形状からなり、建築用化粧材３０の端部を覆うものである。本実施形態に係るフタ部２１は、断面が正方形状の建築用化粧材３０と同じ形状を施し、かつ、建築用化粧材３０と同じ材料からなるため、統一感がありデザイン性を損なわない。また、後述の突起２２ａにより、ネジ４０を捩じ込む方向へ回転させないための突片（図示なし）または折返し片（図示なし）等がなくても小口フタ２０が固定できるため、材料の重量が建築用化粧材３０の端部を覆う分だけですみ、コストが抑えられる。
【００１９】
突起２２ａは、図３（ｃ）に示すように、ポンチ加工により加工された突起部である。具体的には、フタ部２１の表面（化粧面側）の任意の位置にポンチ加工機（図示なし）により断面三角形状にくぼむポンチ穴２２ｂが形成され、そのポンチ穴２２ｂのくぼみ分だけフタ部２１の裏面（建築用化粧材３０の端部側）に断面四角形状に突出する突起２２ａが形成される。言い換えると、突起２２ａは、ポンチ加工機により様々な位置に形成することができるので、後述の建築用化粧材３０のデザインを問わず、同じ小口フタ２０で対応ができ、利便性がある。また、複数の小口フタ２０を製作しなくても異なるデザインの建築用化粧材３０に対応できることにより、コストが抑えられる。さらに、後述の建築用化粧材３０の端部を覆う分だけで突起２２ａが形成できるので、材料の重量がフタのみのため、コストが抑えられる。なお、突起２２ａは突出していれば良いため、断面が半円形状や台形状および三角形状等でも良い。また、突起２２ａは後述の入隅部３５に引っ掛かれば良いため、突起２２ａによる突出部は少量の段差にするだけでも良い。
【００２０】
貫通孔２３は、図１、図２（ｂ）、図３（ａ）に示すように、ビスホール３３と重ね合わせた状態でネジ４０を挿通して建築用化粧材３０に小口フタ２０を固定するものである。具体的には、小口フタ２０と建築用化粧材３０を重ね合わせた時に貫通孔２３とビスホール３３が連続した孔になる位置に貫通した孔が形成されている。これにより、ネジ４０を捩じ込むだけで小口フタ２０と建築用化粧材３０を固定することができる。なお、前述の突起２２ａが建築用化粧材３０の端部に当接することで、貫通孔２３およびビスホール３３の位置合わせがスムーズに行え、作業性が良い。
【００２１】
また、建築用化粧材３０は、図１、図２（ａ）、図２（ｂ）に示すように、長尺で中空部からなる化粧材である。本実施形態に係る建築用化粧材３０は、一部が開口した断面が正方形状であり、開口していない面により化粧面３１を施し、一対の化粧面３１から開口した面へ連なる内向きに屈曲する一対の係合片３２と、一対の化粧面３１を連結する中空部のほぼ中央に位置する補強片３４と、補強片３４の中央にビスホール３３が形成された構成になっている。また、一対の化粧面３１と一対の係合片３２とは屈曲して連続しているため、化粧面３１と係合片３２との連結部によって入隅部３５が形成される。この入隅部３５を形成する係合片３２には、図２（ｂ）に示すように、小口フタ２０の突起２２ａが当接され、ビスホール３３には、小口フタ２０の貫通孔２３を介してネジ４０が挿通される。
【００２２】
係合片３２は、図２（ｂ）に示すように、小口フタ２０の突起２２ａの当接または、図４に示すように、下地材５０に固定するためのものである。具体的には、化粧面３１と係合片３２との連結部からなる入隅部３５に引っ掛けるように突起２２ａを当接するための係合片３２と、下地材５０の断面Ｌ字型の固定部材５１と係合片３２とをネジ５２を介して固定するための係合片３２とを兼ね備え、小口フタ２０と下地材５０のどちらも建築用化粧材３０に固定するために係合片３２を使用することができる。
【００２３】
ビスホール３３は、図１、図２（ｂ）に示すように、小口フタ２０の貫通孔２３と重ね合わせた状態でネジ４０を挿通して建築用化粧材３０に小口フタ２０を固定するものであり、長尺の建築用化粧材３０の長手方向の全長において形成されている。本実施形態に係るビスホール３３は、補強片３４の中央に形成されているため、貫通孔２３も小口フタ２０のほぼ中央に配置され、重ね合わせると連続した孔になるように形成されている。この連続した孔にネジ４０を小口フタ２０側から捩じ込むだけで重ね合わせた小口フタ２０と建築用化粧材３０とを固定することができる。その際、突起２２ａが入隅部３５に当接するだけで位置決めができるため、小口フタ２０がネジ４０を捩じ込む方向へ回転しようとする力を防止でき、作業性が良い。
【００２４】
この小口フタ２０は、同じ小口フタ２０によって複数の建築用化粧材３０の端部を覆うことができるため、利便性があり、かつ、複数の小口フタ２０を製作しないため、コストが抑えられる。本実施形態に係る小口フタ２０は、図５（ａ）、図５（ｂ）に示すように、断面が縦長の建築用化粧材３０ａおよび断面が横長の建築用化粧材３０ａ’に対し、同じ小口フタ２０（２０ａ、２０ａ’）を使用することができる。具体的には、図５（ａ）の建築用化粧材の小口フタの位置決め構造１０ａは、断面が縦長の建築用化粧材３０ａと同じ形状の小口フタ２０ａとからなり、建築用化粧材３０ａの化粧面３１ａと補強片３４との連結部によって入隅部３５が形成され、この入隅部３５に小口フタ２０ａの突起２２ａが当接され、フタ部２１ａの中央よりやや下方に貫通孔２３が形成され、両者を重ね合わせた時に貫通孔２３と同じ位置にビスホール３３が配置されている。また、図５（ｂ）の建築用化粧材の小口フタの位置決め構造１０ａ’は、図５（ａ）を９０度回転させて横長にした建築用化粧材３０ａ’および小口フタ２０ａ’とからなり、建築用化粧材３０ａ’の化粧面３１ａ’と係合片３２との連結部によって入隅部３５が形成され、この入隅部３５に小口フタ２０ａ’の突起２２ａが当接され、フタ部２１ａ’の中央より上方に貫通孔２３が形成され、両者を重ね合わせた時に貫通孔２３と同じ位置にビスホール３３が配置されている。この図５（ａ）の縦長の小口フタ２０ａと図５（ｂ）の横長の小口フタ２０ａ’は、同じ小口フタ２０を使用しているが、突起２２ａおよび貫通孔２３が任意の位置に形成できるため、縦長または横長からなるデザインが異なる建築用化粧材３０ａ、３０ａ’に対し、同じ小口フタ２０を使用することができる。なお、図５（ａ）に示すように、突起２２ａを化粧面３１ａと補強片３４との連結部によって形成される入隅部３５でなくても良く、上述のように、化粧面３１ａと係合片３２との連結部からなる入隅部（符号なし）でも良い。また、図５（ａ）に示すように、ビスホール３３を上下一対に設けても良く、上下のビスホール３３の２点で固定することでさらに強固に固定しても良い。また、上方のビスホール３３のみで固定しても良い。また、図５（ａ）、図５（ｂ）に示すように、化粧面３１ａ、３１ａ’同士が連続する入隅部（符号なし）に突起２２ａ（符号なし）を当接しても良い。なお、上述した実施形態は上記と同じ部材には同一の符号を付して重複する説明は省略する。
【００２５】
また、図６（ａ）、図６（ｂ）に示すような小口フタ２０と建築用化粧材３０の構成にしても良い。すなわち、図６（ａ）に示すように、断面が縦長の砲弾状の建築用化粧材３０ｂと同じ形状の小口フタ２０ｂとからなる建築用化粧材の小口フタの位置決め構造１０ｂは、建築用化粧材３０ｂの化粧面３１ｂと係合片３２との連結部によって入隅部３５が形成され、この入隅部３５に小口フタ２０ｂの突起２２ａが当接され、フタ部２１ｂの中央よりやや下方に貫通孔２３が形成され、両者を重ね合わせた時に貫通孔２３と同じ位置にビスホール３３が配置されている。また、図６（ｂ）に示すように、図６（ａ）を９０度回転させて横長にし、さらに左右対称になるように結合した建築用化粧材３０’および建築用化粧材３０’の中央に空間を設けて左右対称に配置した小口フタ２０ｂ’とからなる建築用化粧材の小口フタの位置決め構造１０ｂ’は、建築用化粧材３０ｂ’の化粧面３１ｂ’と補強片３４との連結部によって入隅部３５が形成され、かつ、化粧面３１ｂ’同士が連結する入隅部３５に突起２２ａが当接され、フタ部２１ｂ’の中央より左右方向に貫通孔２３が形成され、両者を重ね合わせた時に貫通孔２３と同じ位置にビスホール３３が配置されている。この図６（ａ）の縦長の小口フタ２０ｂと図６（ｂ）の横長の小口フタ２０ｂ’は、同じ小口フタ２０（２０ｂ、２０ｂ’）を図６（ａ）は１個、図６（ｂ）は２個使用しているが、突起２２ａおよび貫通孔２３が任意の位置に形成できるため、縦長や横長および単数または複数の小口フタ２０（２０ｂ、２０ｂ’）を使用して、デザインが異なる建築用化粧材３０ｂ、３０ｂ’に対応することができる。なお、図６（ａ）に示すように、突起２２ａを化粧面３１ｂと係合片３２との連結部によって形成される入隅部３５でなくても良く、上述のように、化粧面３１ｂと補強片３４との連結部からなる入隅部（符号なし）でも良い。また、図６（ａ）に示すように、ビスホール３３を上下一対に設けても良く、上下のビスホール３３の２点で固定することでさらに強固に固定しても良い。また、上方のビスホール３３のみで固定しても良い。また、図６（ｂ）に示すように、横長の建築用化粧材３０ｂ’に縦長の建築用化粧材（図示なし）を連結して断面が十字状の建築用化粧材においても同じ小口フタ（図示なし）を使用することができる。なお、上述した実施形態は上記と同じ部材には同一の符号を付して重複する説明は省略する。
【００２６】
上記した建築用化粧材の小口フタの位置決め構造１０は、予め小口フタ２０に突起２２ａおよび貫通孔２３を任意の位置に形成し、建物躯体（図示なし）または下地材５０に垂直または水平に配置された建築用化粧材３０の端部に小口フタ２０を重ね合わせて突起２２ａを入隅部３５に当接し、連続した孔となる貫通孔２３およびビスホール３３にネジ４０を小口フタ２０側から捩じ込んで固定する。以上で、位置決め構造が完了する。
【００２７】
以上説明したように、本実施形態によれば、建築用化粧材３０、３０ａ、３０ａ’、３０ｂ、３０ｂ’を建物躯体または下地材５０に垂直または水平に配置し、建築用化粧材３０、３０ａ、３０ａ’、３０ｂ、３０ｂ’の端部に取付ける小口フタ２０、２０ａ、２０ａ’、２０ｂ、２０ｂ’と、を備え、小口フタ２０、２０ａ、２０ａ’、２０ｂ、２０ｂ’は、建築用化粧材３０、３０ａ、３０ａ’、３０ｂ、３０ｂ’の端部に当接する突起２２ａおよび建築用化粧材３０、３０ａ、３０ａ’、３０ｂ、３０ｂ’のビスホール３３に位置する貫通孔２３が少なくとも１以上設けられているため、突起２２ａにより小口フタ２０、２０ａ、２０ａ’、２０ｂ、２０ｂ’と建築用化粧材３０、３０ａ、３０ａ’、３０ｂ、３０ｂ’との位置決めが容易にできることで貫通孔２３およびビスホール３３の位置合わせもスムーズに行え、作業性が良い。また、小口フタ２０、２０ａ、２０ａ’、２０ｂ、２０ｂ’を取付ける際、突起２２ａが建築用化粧材３０、３０ａ、３０ａ’、３０ｂ、３０ｂ’の端部に当接しているため、小口フタ２０、２０ａ、２０ａ’、２０ｂ、２０ｂ’がネジ４０を捩じ込む方向へ回転することを防止でき、小口フタ２０、２０ａ、２０ａ’、２０ｂ、２０ｂ’と建築用化粧材３０、３０ａ、３０ａ’、３０ｂ、３０ｂ’の端部との重ね合わせが確実に行え、作業性が良い。また、突起２２ａのみで位置決めができるため、材料の重量が少なくコストが抑えられる。
【００２８】
また、突起２２ａは、ポンチ加工により形成され、任意の位置に突起２２ａの加工が施せるため、小口フタ２０、２０ａ、２０ａ’、２０ｂ、２０ｂ’の任意の位置に突起２２ａを形成することで建築用化粧材３０、３０ａ、３０ａ’、３０ｂ、３０ｂ’のデザインを問わず、同じ小口フタ２０、２０ａ、２０ａ’、２０ｂ、２０ｂ’で対応ができ、利便性があり、かつ、複数の小口フタ２０、２０ａ、２０ａ’、２０ｂ、２０ｂ’を製作しないことにより、コストが抑えられる。さらに、前述の突起２２ａにより、ネジ４０を捩じ込む方向へ回転させないための突片等がなくても小口フタ２０、２０ａ、２０ａ’、２０ｂ、２０ｂ’が固定できるため、材料の重量が建築用化粧材３０、３０ａ、３０ａ’、３０ｂ、３０ｂ’の端部を覆う分だけですみ、コストが抑えられる。
【００２９】
また、突起２２ａは、建築用化粧材３０、３０ａ、３０ａ’、３０ｂ、３０ｂ’の任意の入隅部３５に当接するため、建築用化粧材３０、３０ａ、３０ａ’、３０ｂ、３０ｂ’のデザインを問わず、任意の入隅部３５を選択して当接できるので、汎用性が高い。
【００３０】
また、建築用化粧材３０、３０ａ、３０ａ’、３０ｂ、３０ｂ’を下地材５０に固定するための係合片３２は、突起２２ａを当接する入隅部３５と同一であるため、下地材５０の固定と小口フタ２０、２０ａ、２０ａ’、２０ｂ、２０ｂ’の固定を兼ね備えるので、利便性がある。
【符号の説明】
【００３１】
１０、１０ａ、１０ａ’、１０ｂ、１０ｂ’  建築用化粧材の小口フタの位置決め構造
２０、２０ａ、２０ａ’、２０ｂ、２０ｂ’  小口フタ
２１、２１ａ、２１ａ’、２１ｂ、２１ｂ’  フタ部
２２ａ  突起
２２ｂ  ポンチ穴
２３  貫通孔
３０、３０ａ、３０ａ’、３０ｂ、３０ｂ’  建築用化粧材
３１、３１ａ、３１ａ’、３１ｂ、３１ｂ’  化粧面
３２  係合片
３３  ビスホール
３４  補強片
３５  入隅部
４０  ネジ
５０  下地材
５１  固定部材
５２  ネジ
【図１】
2019178594.tif 000003
【図２】
2019178594.tif 000004
【図３】
2019178594.tif 000005
【図４】
2019178594.tif 000006
【図５】
2019178594.tif 000007
【図６】
2019178594.tif 000008